(57)【要約】【課題】国際ローミングにおける広大な地域をカバーするための位置情報やサービス情報を持つことなく、様々な地域における周波数情報やサービス情報を取得することができる移動機を提供する移動機及びサービス情報提供装置を提供する。【解決手段】移動機１０は、自機が登録されたネットワーク事業者の識別情報を、電波の届く範囲が極狭い特定の周波数の信号を用いて移動機外部のサービス情報提供装置２０へ送り、サービス情報提供装置２０は、移動機１０から送信されたネットワーク事業者の識別情報を受信すると、現在位置での使用可能な周波数及びアクセス技術を複数のネットワーク事業者夫々の識別情報に対応させて記憶したデータベース２０１を検索して、識別情報を送信してきた移動機１０の現在位置で使用可能周波数及びアクセス技術を抽出し、抽出した情報を移動機１０に与える。【選択図】      図１
2004297187.tif 000002
【特許請求の範囲】
【請求項１】
複数の基地局と夫々のサービスエリアを持つセルによって構成されたセルラー通信システムで使用される移動機であって、自機を登録しているネットワーク事業者の識別情報を記憶した識別情報記憶手段と、移動体通信で使用する通信方式とは異なる通信方式にて前記識別情報記憶手段に記憶された前記識別情報の送信を行うとともに、外部より送信されてくる自機の現在位置での使用可能周波数とアクセス技術を受信する送受信手段と、前記送受信手段が前記識別情報記憶手段に記憶された前記識別情報を送信した後に自機の現在位置での使用可能周波数とアクセス技術を受信した場合にこれらの情報を用いてローミング時の周波数サーチを行う周波数サーチ手段と、を具備することを特徴とする移動機。
【請求項２】
前記送受信手段にて自機で使用可能なサービスを示すサービス情報の受信が行われた場合にそのサービス情報に基づく動作を行うサービス手段を具備することを特徴とする請求項１に記載の移動機。
【請求項３】
前記送受信手段は、無線ＬＡＮ又はＢｌｕｅｔｏｏｔｈ規格による無線信号の送受信を行うことを特徴とする請求項１又は請求項２のいずれかに記載の移動機。
【請求項４】
複数の基地局と夫々のサービスエリアを持つセルによって構成されたセルラー通信システムで使用されるサービス情報提供装置であって、複数のネットワーク事業者毎に現在位置にて移動機が使用できる周波数とアクセス技術を示す情報並び当該移動機で使用可能なサービスを示すサービス情報を含むデータベースと、移動体通信で使用する通信方式とは異なり、且つ電波の届く範囲を極限られた狭い範囲とする送信出力を持ち、この範囲内で移動機より送信されたネットワーク事業者を示す識別情報を受信すると、その識別情報を元に前記データベースを検索して前記移動機が現在位置にて使用可能な周波数とアクセス技術の情報並びにサービス情報を取り出し、取り出した各種情報を前記移動機に向けて送信する送受信手段と、を具備することを特徴とするサービス情報提供装置。
【請求項５】
前記送受信手段は、無線ＬＡＮ又はＢｌｕｅｔｏｏｔｈ規格による無線信号の送受信を行うことを特徴とする請求項４に記載のサービス情報提供装置。
【請求項６】
移動機は、自機を登録しているネットワーク事業者の識別情報を移動体通信で使用する通信方式と異なる通信方式にてサービス情報提供装置へ送信し、サービス情報提供装置は、現在位置にて各ネットワーク事業者の移動機が使用できる周波数とアクセス技術並び当該移動機で使用可能なサービスを示すサービス情報をデータベースとして持ち、前記移動機から送信された識別情報を受信した場合に、受信した識別情報を元に前記データベースを検索して、前記移動機が現在位置にて使用可能な周波数とアクセス技術の情報並びにサービス情報を取り出し、取り出した情報を前記移動機へ送信し、前記移動機は、前記サービス情報提供装置から送信されてきた情報を受信した場合に、現在位置での使用可能周波数とアクセス技術の情報を用いてローミング時の周波数探索を行い、サービス情報に基づく動作を行うことを特徴とするサービス情報提供方法。
【発明の詳細な説明】
【０００１】
【発明の属する技術分野】
本発明は、複数の基地局と夫々のサービスエリアを持つセルによって構成されたセルラー通信システムに用いて好適な移動機及びサービス情報提供装置に関する。
【０００２】
【従来の技術】
従来、国際ローミング機能を持つ移動機においては、現在位置で使用可能な周波数とアクセス技術を様々な地域に対応させて記憶したプリセットテーブルを有し、基地局からの位置エリア情報を受信した際に、その位置エリア情報に基づいてプリセットテーブルから現在位置での使用可能周波数とアクセス技術を検索するようにしている。
【０００３】
一方、従来、ラジオ受信機能を持つ移動機、特に移動先の放送を簡単に受信できるように、移動に伴う放送局の地域プリセットを自動的に行うようにしたラジオ受信機能を持つ移動機も案出されている（例えば、特許文献１参照）。図３はこの種の移動機における地域プリセット機能部の構成を示すブロック図である。この図に示すように、プリセットテーブル３００には、複数の地域夫々の位置エリアとラジオ放送局の周波数情報とが対応付けて記憶されており、特定周波数受信部３０１が基地局からの位置エリア情報を受信し、その位置エリア情報に基づいて現在設定されているラジオ放送局の周波数情報をプリセットする必要がある場合、位置情報判断部３０２がプリセットテーブル３００から当該位置エリア情報に対応するラジオ放送局の周波数情報を検索して、そのラジオ放送局の周波数情報にプリセットする。
【０００４】
【特許文献１】
特開平１１−２８４５３２号公報（第４頁〜第６頁、図２）
【０００５】
【発明が解決しようとする課題】
しかしながら、従来の移動機においては、次のような問題がある。
すなわち、位置エリア情報から現在位置での使用可能周波数とアクセス技術を求めるために、各地域の位置エリアと使用可能周波数とアクセス技術とを対応付けたプリセットテーブルが必要である。
【０００６】
このため、国際ローミグにおいて広大な位置情報をカバーするには、そのテーブルの大きさがとても大きくなってしまう。このため、容量の大きな記憶素子が必要となり、その分、高価格になるとともに消費電力が多くなってしまう。因みに、電源にバッテリを使用する場合は一回の充電における使用時間が短くなり、電池を使用する場合は電池の寿命が短くなってしまう。
【０００７】
また、周波数情報以外のサービス情報（例えば地域情報）を含めようとすると、さらに容量の大きな記憶素子が必要となり、上記問題が更に顕著になる。
【０００８】
本発明は係る点に鑑みてなされたものであり、国際ローミングにおける広大な地域をカバーするための位置情報やサービス情報を持つことなく、様々な地域における周波数情報やサービス情報を取得することができる移動機を提供する移動機及びサービス情報提供装置を提供することを目的とする。
【０００９】
【課題を解決するための手段】
請求項１に係る発明の移動機は、複数の基地局と夫々のサービスエリアを持つセルによって構成されたセルラー通信システムで使用される移動機であって、自機を登録しているネットワーク事業者の識別情報を記憶した識別情報記憶手段と、移動体通信で使用する通信方式とは異なる通信方式にて前記識別情報記憶手段に記憶された前記識別情報の送信を行うとともに、外部より送信されてくる自機の現在位置での使用可能周波数とアクセス技術を受信する送受信手段と、前記送受信手段が前記識別情報記憶手段に記憶された前記識別情報を送信した後に自機の現在位置での使用可能周波数とアクセス技術を受信した場合にこれらの情報を用いてローミング時の周波数サーチを行う周波数サーチ手段と、を具備する構成を採る。
【００１０】
この構成によれば、移動機は、ローミング時に必要とする現在位置での使用可能周波数とアクセス技術を端末外から取得し、取得した情報を元に周波数サーチを行うので、ローミング時における周波数サーチの負担が軽減し、これによって高速にセルラー通信システムに対して位置登録動作を開始することができる。また、位置登録動作を開始するまでの時間の短縮化が図れる分、省電力化が可能となる。
【００１１】
請求項２に係る発明の移動機は、請求項１に係る発明の移動機において、前記送受信手段にて自機で使用可能なサービスを示すサービス情報の受信が行われた場合にそのサービス情報に基づく動作を行うサービス手段を具備する構成を採る。
【００１２】
この構成によれば、移動機のユーザーが試行して使用可能なサービスを探すこと無しに当該サービスを知ることができる。なお、サービスとしては、例えばパケットサービス、メール送受信サービス、テレビ電話サービスなどがある。特に、地域によっては、パケットサービスがＩＰベースで行われていなかったり、メールがＧＳＭの基準のＳＭＳ（Ｓｈｏｒｔ  Ｍｅｓｓａｇｅ  Ｓｅｒｖｉｃｅ）やＭＭＳ（Ｍｕｌｔｉｍｅｄｉａ  Ｍｅｓｓａｇｉｎｇ  Ｓｅｒｖｉｃｅ）で行われていなかったり、テレビ電話サービスが行われていなかったりするので、サービス情報を入手することによって、それぞれへの対応が可能となる。
【００１３】
請求項３に係る発明の移動機は、請求項１又は請求項２のいずれかに係る発明の移動機において、前記送受信手段は、無線ＬＡＮ又はＢｌｕｅｔｏｏｔｈ規格による無線信号の送受信を行う構成を採る。
【００１４】
この構成によれば、無線ＬＡＮ又はＢｌｕｅｔｏｏｔｈ規格による送受信手段を用いて情報取得可能な場所を限定するようにしたので、移動機において、ある程度の時間と移動範囲において固定であって欲しい、周波数やサービス情報を固定化することができる。
【００１５】
請求項４に係る発明のサービス情報提供装置は、複数の基地局と夫々のサービスエリアを持つセルによって構成されたセルラー通信システムで使用されるサービス情報提供装置であって、複数のネットワーク事業者毎に現在位置にて移動機が使用できる周波数とアクセス技術を示す情報並び当該移動機で使用可能なサービスを示すサービス情報を含むデータベースと、移動体通信で使用する通信方式とは異なり、且つ電波の届く範囲を極限られた狭い範囲とする送信出力を持ち、この範囲内で移動機より送信されたネットワーク事業者を示す識別情報を受信すると、その識別情報を元に前記データベースを検索して前記移動機が現在位置にて使用可能な周波数とアクセス技術の情報並びにサービス情報を取り出し、取り出した各種情報を前記移動機に向けて送信する送受信手段と、を具備する構成を採る。
【００１６】
この構成によれば、現在位置にて移動機が使用できる周波数とアクセス技術を示す情報並び当該移動機で使用可能なサービスを移動機に与えるので、移動機は、与えられた情報を元にローミング時の周波数サーチを行うので、そのときにおける周波数サーチの負担が軽減し、これによって高速にセルラー通信システムに対して位置登録動作を開始することができる。また、位置登録動作を開始するまでの時間の短縮化が図れる分、移動機の省電力化が可能となる。
【００１７】
請求項５に係る発明のサービス情報提供装置は、請求項４に係る発明のサービス情報提供装置において、前記送受信手段は、無線ＬＡＮ又はＢｌｕｅｔｏｏｔｈ規格による無線信号の送受信を行う構成を採る。
【００１８】
この構成によれば、無線ＬＡＮ又はＢｌｕｅｔｏｏｔｈ規格による送受信手段を用いて移動機が情報を取得する場所を限定するようにしたので、移動機において、ある程度の時間と移動範囲において固定であって欲しい、周波数やサービス情報を固定化することができる。
【００１９】
請求項６に係る発明のサービス情報提供方法は、移動機は、自機を登録しているネットワーク事業者の識別情報を移動体通信で使用する通信方式と異なる通信方式にてサービス情報提供装置へ送信し、サービス情報提供装置は、現在位置にて各ネットワーク事業者の移動機が使用できる周波数とアクセス技術並び当該移動機で使用可能なサービスを示すサービス情報をデータベースとして持ち、前記移動機から送信された識別情報を受信した場合に、受信した識別情報を元に前記データベースを検索して、前記移動機が現在位置にて使用可能な周波数とアクセス技術の情報並びにサービス情報を取り出し、取り出した情報を前記移動機へ送信し、前記移動機は、前記サービス情報提供装置から送信されてきた情報を受信した場合に、現在位置での使用可能周波数とアクセス技術の情報を用いてローミング時の周波数探索を行い、サービス情報に基づく動作を行う。
【００２０】
この方法によれば、データベースを移動機外に設けることで、移動機内部の情報格納容量を圧迫することなく、周波数およびアクセス技術やサービス情報といった必要な情報を得ることができる。
【００２１】
【発明の実施の形態】
本発明の骨子は、セルラー通信システムに用いて好適な移動機及びサービス情報提供装置であって、移動機は、自機が登録されたネットワーク事業者の識別情報を、電波の届く範囲が極狭い特定の周波数の信号を用いて移動機外部のサービス情報提供装置へ送り、サービス情報提供装置は、移動機から送信されたネットワーク事業者の識別情報を受信すると、現在位置での使用可能な周波数及びアクセス技術を複数のネットワーク事業者夫々の識別情報に対応させて記憶したデータベースを検索して、識別情報を送信してきた移動機の現在位置で使用可能周波数及びアクセス技術を抽出し、抽出した情報を移動機に与えることで当該移動機のローミング時における周波数サーチの負担の軽減を図ることである。
【００２２】
以下、本発明の実施の形態について、図面を参照して詳細に説明する。
【００２３】
（実施の形態１）
図１は、本発明の実施の形態１に係る移動機及びサービス情報提供装置の構成を示すブロック図である。
【００２４】
まず、本実施の形態に係る移動機１０は、複数の基地局と夫々のサービスエリアを持つセルによって構成されたセルラー通信システムで使用されるものであり、自機１０を登録しているネットワーク事業者の識別情報を記憶した識別情報記憶部１０１と、無線ＬＡＮ又はＢｌｕｅｔｏｏｔｈ規格による無線信号などの電波の届く範囲が極狭い特定周波数の無線信号の送受信を行う特定周波数送受信部１０２と、特定周波数送受信部１０２にて受信された自機１０の現在位置で使用可能な周波数とアクセス技術を用いて国際ローミング時の周波数サーチを行う周波数サーチ部１０３と、端末各部を制御する制御部１０４とを備えて構成されている。
【００２５】
特定周波数送受信部１０２は、識別情報記憶部１０１に記憶されている識別情報の送信を行うとともに、自機１０の外部のサービス情報提供装置２０より送信されてくる現在位置での使用可能な周波数とアクセス技術を受信する。制御部１０４は、図示せぬＣＰＵ（中央処理装置）と、このＣＰＵを制御するためのプログラムが記憶されたＲＯＭ（Ｒｅａｄ  Ｏｎｌｙ  Ｍｅｍｏｒｙ）と、ＣＰＵの動作において使用されるＲＡＭ（Ｒａｎｄｏｍ  Ａｃｃｅｓｓ  Ｍｅｍｏｒｙ）とを備えている。制御部１０４は、識別情報記憶部１０１に記憶された識別情報を定期的あるいはユーザーの手動操作によって読み出して特定周波数送受信部１０２に入力する。また、識別情報を送信することでサービス情報提供装置２０より送信されて特定周波数送受信部１０２で受信された現在位置で使用可能な周波数とアクセス技術の情報を周波数サーチ部１０３に入力する。
【００２６】
一方、本実施の形態に係るサービス情報提供装置２０は、複数のネットワーク事業者毎に現在位置にて移動機１０が使用できる周波数とアクセス技術を示す情報を持つデータベース２０１と、無線ＬＡＮ又はＢｌｕｅｔｏｏｔｈ規格による無線信号の送受信を行う特定周波数送受信部２０２と、装置各部を制御する制御部２０３とを備えて構成されている。
【００２７】
制御部２０３は、図示せぬＣＰＵと、このＣＰＵを制御するためのプログラムが記憶されたＲＯＭと、ＣＰＵの動作において使用されるＲＡＭとを備えている。制御部２０３は、特定周波数送受信部２０２にて移動機１０より送信されたネットワーク事業者を示す識別情報が受信されると、その識別情報を元にデータベース２０１を検索して、移動機１０が現在位置で使用可能な周波数とアクセス技術の情報を取り出し、取り出した各種情報を特定周波数送受信部２０２に入力する。特定周波数送受信部２０２は、制御部２０３より入力された情報を移動機１０へ送信する。
【００２８】
移動機１０は、現在いる場所をサービス領域としているサービス情報提供装置２０に対して、自機１０が登録されたネットワーク事業者の識別情報を送信することで、サービス情報提供装置２０から送信されてくる情報即ち現在位置で使用可能な周波数とアクセス技術の情報を受信し、国際ローミング時に周波数サーチを行う。
【００２９】
このように、本実施の形態に係る移動機及びサービス情報提供装置によれば、移動機１０は、複数のネットワーク事業者毎に現在位置にて移動機が使用できる周波数とアクセス技術を示す情報をデータベース２０１として持つサービス情報提供装置２０との間で無線ＬＡＮ又はＢｌｕｅｔｏｏｔｈなどの通信方式にて信号の送受信を行い、サービス情報提供装置２０に対して自機を登録しているネットワーク事業者の識別情報を送信することで、サービス情報提供装置２０から送信されてくる現在位置で使用可能な周波数とアクセス技術の情報を受信し、それらの情報を用いて国際ローミング時における周波数サーチを行う。
【００３０】
したがって、移動機１０は、国際ローミング時に必要とする現在位置での使用可能周波数とアクセス技術を端末外のサービス情報提供装置２０から取得し、取得した情報を元に周波数サーチを行えるので、国際ローミング時における周波数サーチの負担が軽減し、これによって高速にセルラー通信システムに対して位置登録動作を開始することができる。また、位置登録動作を開始するまでの時間の短縮化が図れる分、省電力化が可能となる。また、移動機１０内部の情報格納容量を圧迫することなく、情報格納容量の小さいメモリを使用することができ、コストの削減が可能となる。また、情報取得エリアの小ささから、周波数・アクセス技術が短時間で入れ替わることを防ぐことができる。
【００３１】
（実施の形態２）
図２は、本発明の実施の形態２に係る移動機及びサービス情報提供装置それぞれの構成を示すブロック図である。なお、この図において前述した図１と共通する部分には同一の符号を付けてその説明を省略する。
【００３２】
本実施の形態に係る移動機３０は、自機が登録されたネットワーク事業者の識別情報を送信することで、自機３０にて動作可能なサービス情報を受信した場合にそのサービス情報に基づく動作を行う。この場合、受信したサービス情報は、図に示す端末動作サービス部３０１に登録される。
【００３３】
一方、本実施の形態に係るサービス情報提供装置４０は、複数のネットワーク事業者毎に現在位置にて移動機３０が使用できる周波数とアクセス技術を示す情報の他に、移動機３０で使用可能なサービスを示すサービス情報を持つデータベース４０１を備えており、移動機３０から送信されたネットワーク事業者の識別情報を受信することで、現在位置で使用可能な周波数とアクセス技術の情報に加えて移動機３０で使用可能なサービス情報を送信する。
【００３４】
サービス情報としては、例えばパケットサービス、メール送受信サービス、テレビ電話サービスなどがある。特に、地域によっては、パケットサービスがＩＰベースで行われていなかったり、メールがＧＳＭの基準のＳＭＳ（ＭＭＳ）で行われていなかったり、テレビ電話サービスが行われていなかったりするので、サービス情報を入手することによって、それぞれへの対応が可能となる。これにより、移動機３０のユーザーは、施行錯誤して使用可能なサービスを探すことがなくなり、自機で使用可能なサービスを簡単且つ容易に知ることができる。
【００３５】
サービス情報提供装置４０の設置場所としては、例えば国際空港の入国管理部門を通過直後の場所や列車の国際駅（欧州など）の改札を出たあたり、あるいは列車内である。
【００３６】
このように、本実施の形態に係る移動機及びサービス情報提供装置４０によれば、移動機３０がサービス情報提供装置４０に対して自機３０を登録済みのネットワーク事業者の識別情報を送信することで、サービス情報伝達装置４０から送信されてくるサービス情報を端末動作サービス部３０１に登録して、そのサービス情報をユーザー知らせる。これにより、ユーザーの試行錯誤することなく、使用可能サービスを知ることができる。
【００３７】
なお、上記実施の形態１及び２では、移動機１０とサービス情報提供装置２０との間並びに移動機３０とサービス情報提供装置４０との間の通信手段として、無線ＬＡＮ又はＢｌｕｅｔｏｏｔｈを用いたが、これらに限定されるものではなく、要は移動体通信に干渉を与えることがなく、電波の届く範囲が極狭い信号を送受信できるものであれば、どのようなものであっても構わない。例えば、赤外線やレーザを用いた通信が挙げられる。また、無線に限定されず有線（例えば有線ＬＡＮ）であっても構わない。
【００３８】
【発明の効果】
以上説明したように、本発明によれば、現在位置での周波数及びアクセス技術のデータベースを外部に持つことで、移動機内部の情報格納容量を圧迫することなく、周波数・アクセス技術やサービス情報といった必要な情報を得ることができる。
【００３９】
また、サービスエリアの狭い特定周波数送受信手段を用いて情報取得可能な場所を限定することで、移動機において、ある程度の時間と移動範囲において固定であって欲しい、周波数やサービス情報を固定化できる点で優れた効果が得られる。
【図面の簡単な説明】
【図１】本発明の実施の形態１に係る移動機及びサービス情報提供装置夫々の構成を示すブロック図
【図２】本発明の実施の形態２に係る移動機及びサービス情報提供装置夫々の構成を示すブロック図
【図３】従来のラジオ受信機能を持つ移動機における地域プリセット機能部の構成を示すブロック図
【符号の説明】
１０、３０  移動機
２０、４０  サービス情報提供装置
１０１  識別情報記憶部
１０２、２０２  特定周波数送受信部
１０３  周波数サーチ部
１０４、２０３  制御部
２０１、４０１  データベース
３０１  端末動作サービス部
【図１】
2004297187.tif 000003
【図２】
2004297187.tif 000004
【図３】
2004297187.tif 000005